(57)【要約】      （修正有）【課題】信頼性高くレンジングレイテンシを削減する修正レンジング手順を提供する。【解決手段】ネットワーク局は、それぞれの時間スロットに関連する複数の仮復号ステータスインジケータを含むレポートを加入者局にブロードキャストする。各仮復号ステータスインジケータは復号成功か、成功しなかったインジケータを含む。各ポジティブインジケータは詳細レポートに関連づけられている。少なくとも１つの符号が復号成功した各時間スロットに関連するレポートを加入者局にブロードキャストする。各詳細復号ステータスレポートはそれに関連する時間スロットでネットワーク局が受信したコードのうち復号成功したコードを特定する。ネットワーク局にコードを送信した各加入者局はレポートがポジティブインジケータを含み、そのポジティブインジケータに関連する詳細復号ステータスレポートが加入者局が送信したコードを特定しているときに復号成功したと判断する。【選択図】図９
2010050972.tif 000002
【特許請求の範囲】
【請求項１】
少なくとも１つのネットワーク局と複数の加入者局とを有する無線通信システムの動作方法であって、
ネットワークアクセス手順の一部として、各加入者局が複数の所定の時間スロットから時間スロットを選択し、選択した時間スロットで前記ネットワーク局に個別のコードを送信する段階と、
前記ネットワーク局が、
前記コードを受信して復号する段階と、
それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号成功した各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階と、
前記ネットワーク局にコードを送信した各加入者局が、それがコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する段階とを含む方法。
【請求項２】
前記時間スロットは複数のグループの時間スロットよりなり、
前記方法は、
それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、
前記ネットワーク局にコードを送信した各加入者局が、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功したと判断する段階とをさらに含む、
請求項１に記載の方法。
【請求項３】
少なくとも１つのネットワーク局と複数の加入者局とを有する無線通信システムで使用する前記ネットワーク局の動作方法であって、
ネットワークアクセス手順の一部として各加入者局がそれぞれ送信したコードを受信して復号する段階であって、各加入者局が複数の所定の時間スロットからコードを送信する時間スロットを選択している段階と、
それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号できた各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階とを含む方法。
【請求項４】
前記時間スロットは複数のグループの時間スロットよりなり、
前記方法はさらに、それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階を含む、請求項３に記載の方法。
【請求項５】
少なくとも１つのネットワーク局と複数の加入者局とを有する無線通信システムで使用する前記加入者局の動作方法であって、
ネットワークアクセス手順の一部として、複数の所定の時間スロットから時間スロットを選択し、選択した時間スロットで前記ネットワーク局に個別コードを送信する段階と、
それぞれの時間スロットに関連する複数の仮復号ステータスインジケータを含む仮復号ステータスレポートを前記ネットワーク局から受信する段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号成功した時間スロットに関連する詳細復号ステータスレポートを前記ネットワーク局から受信する段階であって、各詳細復号ステータスレポートはそれに関連する時間スロットで前記ネットワーク局が受信したコードのうち復号成功したコードを特定するものである段階と、
前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する段階とを含む方法。
【請求項６】
前記時間スロットは複数のグループの時間スロットよりなり、
前記方法は、
それぞれの時間スロットのグループに関連する複数のグループ仮復号ステータスインジケータを含むグループ仮復号ステータスレポートを前記ネットワーク局から受信する段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、
前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断する段階とをさらに含む、
請求項５に記載の方法。
【請求項７】
少なくとも１つのネットワーク局と複数の加入者局とを有する無線通信システムで使用する前記ネットワーク局の装置であって、
それぞれの時間スロットに関連する複数の仮復号ステータスインジケータを含む仮復号ステータスレポートを生成するように構成された仮復号ステータス回路であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータをそれぞれ詳細復号ステータスレポートに関連づけるように構成されている仮復号ステータス回路と、
前記ネットワーク局の復号回路により復号成功した少なくとも１つのコードを特定するデータを取得するよう構成された詳細復号ステータス回路であって、前記コードはネットワークアクセス手順の一部として各加入者局が前記ネットワーク局に送信され、各加入者局は複数の所定の時間スロットからコードを送信する時間スロットを選択している詳細復号ステータス回路とを有し、
前記詳細復号ステータス回路は、少なくとも１つの符号が復号成功した各時間スロットに関連する詳細復号ステータスレポートを生成し、各詳細復号ステータスレポートはそれに関連する時間スロットで前記ネットワーク局が受信したコードのうち復号成功したコードを特定するものであり、前記詳細復号ステータスレポートは前記加入者局にブロードキャストされるものである装置。
【請求項８】
前記時間スロットは複数のグループの時間スロットよりなり、
前記復号ステータス回路は、それぞれの時間スロットのグループに関連する複数のグループ仮復号ステータスインジケータを含むグループ仮復号ステータスレポートを生成するように構成されたグループ仮復号ステータス回路であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータをそれぞれ仮復号ステータスレポートに関連づけるように構成されているグループ仮復号ステータス回路を有する、
請求項７に記載の装置。
【請求項９】
少なくとも１つのネットワーク局と複数の加入者局とを有する無線通信システムで使用する前記加入者局の装置であって、
複数の所定の時間スロットから選択した時間スロットと、ネットワークアクセス手順の一部として前記選択した時間スロットに前記加入者局から前記ネットワーク局に送信された個別のコードとを特定する情報を取得するように構成されたネットワークアクセス回路を有し、
前記ネットワークアクセス回路は、それぞれの時間スロットに関連する複数の仮復号ステータスインジケータを含む仮復号ステータスレポートを前記ネットワーク局から受信するよう構成され、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられ、
前記ネットワークアクセス回路は、少なくとも１つの符号が復号成功した時間スロットに関連する詳細復号ステータスレポートを前記ネットワーク局から受信し、各詳細復号ステータスレポートはそれに関連する時間スロットで前記ネットワーク局が受信したコードのうち復号成功したコードを特定するものであり、
前記ネットワークアクセス回路は、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功と判断するように構成された装置。
【請求項１０】
前記時間スロットは複数のグループの時間スロットよりなり、
前記ネットワークアクセス回路は、
それぞれの時間スロットのグループに関連する複数のグループ仮復号ステータスインジケータを含むグループ仮復号ステータスレポートを前記ネットワーク局から受信し、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられており、
前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断するように構成された、
請求項９に記載の装置。
【発明の詳細な説明】
【技術分野】
【０００１】
本発明は無線通信システムを動作させる方法及び装置に関する。
【背景技術】
【０００２】
モバイルＷｉＭＡＸ標準においてレンジング（ranging）は重要なプロセスである。セル内の基地局（ＢＳ）と加入者局（ＳＳ）との間のパワー調整（power  adjustment）、タイミングオフセット推定（timing  offset  estimation）、及び同期がレンジング手順を用いて行われる。
【０００３】
レンジング手順では、ネットワーク設定に関する情報を取得し、リンクを同期するために、加入者局から基地局へレンジングコードが送信される。具体的には、レンジング手順において次のタイプの情報を取得できる：
・ＳＳの存在−ネットワークへの加入、ハンドオーバ、または帯域幅競合（bandwidth  contention）のため
・ＳＳタイミングオフセット
・ＳＳ周波数オフセット（任意的）−ＢＳからＳＳに送信されるプリアンブルコードを用いて、コネクションセットアップの前段階においてキャリア周波数オフセット（ＣＦＯ）も決定できる。
【０００４】
ＳＳは次のタイプのレンジング手順を実行する：
・ネットワーク加入時にＳＳの存在と同期タイミングを示すためのイニシァルレンジング；
・共有スペクトルリソースへのアクセスを要求する帯域幅競合；
・タイミングオフセットとＣＦＯの変化を更新、追跡する周期的レンジング；
・モビリティをサポートしておりあるＢＳから他のＢＳへのハンドオフを実行する場合のハンドオーバ。
【０００５】
レンジングの基本的なメカニズムでは、ＳＳは、指定されたレンジングチャネルにおいて、ランダムに選択したレンジングスロットで、ランダムに選択した符号分割多重アクセス（ＣＤＭＡ）コードを送信する。ＢＳはこのコードを受信して、必要な情報を決定する。１つのレンジングチャネルは複数（例えば、１４４）のサブキャリアを用い、他のサブキャリアは他のレンジングチャネルまたはユーザデータに割り当てられる。各レンジングモード（イニシァル、ハンドオーバ、周期的、帯域幅競合）に複数のコードを割り当てる。
【０００６】
ＩＥＥＥ８０２．１６−２００４、ＩＥＥＥ８０２．１６ｅ−２００５及びＩＥＥＥ８０２．１６ｊ標準（以下、それぞれ１６ｄ、１６ｅ及び１６ｊと呼ぶ）では、基地局（ＢＳ）はレンジングオポチュニティ／レンジングチャネルにおいて複数のレンジングコードを復号でき、対応する手順の処理にいくらか時間がかかる。移動局（ＭＳ）が競合の結果を事前に知らずに競合解消時間（contention  resolution  time  interval）だけ待つのは時間的に効率が悪い。
【０００７】
次のシナリオではレンジング衝突が発生する：
シナリオ１：図１に示したように、マルチキャリア環境におけるノイズ拡散や周波数選択フェージングにより信号雑音比（ＳＮＲ）が低下し、レンジングコードを復号できなくなる。これは、１つのレンジングスロットにおいて送るレンジングコードが多すぎるときに起こることが多い。
【０００８】
図１に示したように、１６ｅ対応ＭＳは、イニシァルレンジング用レンジングコードを送信すると、Ｔ３タイマーを起動してＢＳからの応答を待つ。タイマーが満了すると、ＭＳはバックオフアルゴリズムを実行して、次のレンジングインスタンス（ranging  instance）を計算する。レンジング衝突により生じる全遅延は次式で計算できる：
Delay=(T3+backoff_time)*R      (１)
ここで、Ｔ３は（６０ｍｓから２００ｍｓの範囲にある）タイマー値であり、Ｒはリトライ数である。帯域要求レンジングについては、式（１）を適用し、Ｔ３タイマーを競合ベース予約タイムアウト（contention-based  reservation  timeout）で置き換える。
【０００９】
シナリオ２：図２に示すように、ＢＳは、受信したレンジングコードを復号成功するが、帯域幅が足りずにすべての要求を満たすことはできない。
シナリオ３：図３に示したように、少なくとも２つのＭＳが同じレンジングコードとレンジングスロットを選択する。
【００１０】
どのシナリオでも、ＭＳは問題を検出するすべを持たず、タイマーが満了するのを待つしかなく、ネットワーク加入プロセスにおける遅延が長くなる。
【００１１】
上記の問題を解決する一解決策は、シナリオ１と２の場合、図４に示したように、後続の下りリンク（ＤＬ）サブフレームの各レンジングスロットに関してＢＳが復号ステータスをブロードキャストすることである。
【００１２】
復号ステータスの報告はMAC管理メッセージ（MAC  management  message）の形式でもよいし、図５に示したように、オーバーヘッドを最小限度にするためビットマップだけでもよい。この例では、レンジングステータスインジケータ（ranging  status  indicator）は、各ビットが前の上りリンク（UL）サブフレームの対応するレンジングスロットの復号ステータスを表すビットマップである。図５に示した例では、第４ビットがゼロであり、レンジング衝突があることを示している。一方、第７ビットもゼロであり、帯域幅が十分でないためＢＳがレンジング要求をドロップしたことを示している。ＭＳは、レンジングステータスインジケータを受信しても、自分のレンジング要求が衝突しているか、またはＢＳによりドロップされたか知ることはできない。しかし、ＭＳはレンジングに失敗すると、それにすぐ反応することができる。
【００１３】
シナリオ３におけるレンジング衝突については、現在のところＢＳであろうがＭＳであろうが、ＲＮＧ−ＲＥＱメッセージが衝突するまで、かかる衝突を検出するすべはない。しかし、上記のメカニズムと同様のメカニズムを用いることにより、ＢＳは、図６に示したように、ＲＮＧ−ＲＥＱメッセージの衝突を瞬時にアナウンスして、ＭＳがレンジングタイマーの満了を待つことを回避できる。
【００１４】
このソリューションではレンジングステータスインジケータは２つの状態を取る。すなわち、成功の場合に１となり、失敗の場合に０となる。しかし、場合によっては、２つ以上のＭＳが同じレンジングスロットでレンジングコードを送信すると、ＢＳは一部のレンジングコードを復号でき、残りのレンジングコードは復号に失敗する。
【００１５】
この場合にＢＳが１を返すと、レンジングコードが復号されなかったＭＳは１６ｅで規定されているように、通常通りに継続してしまい、上記の通りレイテンシが長くなってしまう。
【００１６】
この場合にＢＳが０を返すと、同じレンジングスロットでレンジングコードを送信したすべてのＭＳがレンジングコードを再送する。これにはレンジングコードが復号成功したＭＳも含まれる。
【発明の概要】
【課題を解決するための手段】
【００１７】
第１の態様による方法は、少なくとも１つのネットワーク局と複数の加入者局とを有する無線通信システムの動作方法であって、ネットワークアクセス手順の一部として、各加入者局が複数の所定の時間スロットから時間スロットを選択し、選択した時間スロットで前記ネットワーク局に個別コードを送信する段階と、前記ネットワーク局が、前記コードを受信して復号する段階と、それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、少なくとも１つの符号を復号成功し各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階と、前記ネットワーク局にコードを送信した各加入者局が、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功と判断（identifies  successful  decoding）する段階とを含む。
【００１８】
無線通信システムは、例えば無線ネットワークを形成して互いに無線通信できるノードすなわち通信装置の集まりを含む。例えば、無線通信システムはＩＥＥＥ８０２．１６標準に基づくＷｉＭＡＸネットワークである。他の例では、無線通信システムは、例えば上りリンクレンジングコードと下りリンク応答とを含むようなレンジング方式（ranging  scheme）を含む電気通信ネットワークを含んでもよい。
【００１９】
ネットワーク局は他局によるネットワークリソースへのアクセスを直接的または間接的に制御する任意の装置である。ネットワークリソースへのアクセスには、例えば、リソースへのアクセス許可、帯域幅の割り当て、接続監視などが含まれる。ネットワーク局は例えば基地局（ＢＳ）や中継局（ＲＳ）である。
【００２０】
加入者局（ＳＳ）はユーザがネットワークリソースにアクセスするのに利用する任意の装置であり得る。加入者局はポータブルであってもなくてもよく、インドアでの利用を想定したものであっても、アウトドアでの利用を想定したものであってもよい。加入者局の例としては、ハンドセット、携帯電話、スマートフォン、ＰＣの周辺装置またはコンポーネント、コンシューマ電子機器、ゲーム端末、ｍｐ３プレーヤなどがある。加入者局は例えば移動局（ＭＳ）やユーザ機器であってもよい。言うまでもなく、ＳＳ及びＭＳという用語は置き換え可能であり、ＭＳという用語を用いても本発明を移動可能局に限定するものではない。
【００２１】
ネットワークアクセス手順には、加入者局がネットワーク局を介してネットワークリソースにアクセスしようと試みる任意の手順、及びその任意の部分が含まれる。一実施例では、ネットワークアクセス手順の部分にはレンジング手順が含まれる。レンジング手順においては、セル内のネットワーク局と加入者局間でのパワー調整、タイミングオフセット推定、及び同期などが行われ得る。レンジング手順は、イニシァルレンジング手順、周期的レンジング手順、ハンドオーバレンジング手順、及び帯域幅要求レンジング手順であってもよい。
【００２２】
時間スロットは、加入者局がネットワーク局にコードを送信できると決められた期間すなわちウィンドウ（window）を含む。一実施例では時間スロットはレンジングスロットである。所定のとは、加入者局が時間スロットの選択を要する前に、各時間スロットの上りリンクサブフレームにおけるタイミング、位置及び／またはチャネルが決定されていることを意味する。
【００２３】
加入者局は所定の如何なる基準により時間スロットを選択してもよい。一実施例では、加入者局は複数の所定の時間スロットから時間スロットをランダムに選択してもよい。
【００２４】
コードは、ネットワークアクセス手順を開始するのに適した任意のメッセージや情報を含んでいても、またはネットワークアクセス手順の関連部分を含んでいてもよい。一実施例ではコードはレンジングコードを含んでもよい。加入者局は複数の所定のコードからコードをランダムに選択してもよい。コードはＣＤＭＡコードを含んでいてもよい。コードはネットワーク局に対して加入者局を識別するものであってもよい。
【００２５】
選択した時間スロットでコードを送信するとは、コードを担うシグナリングを送信する時点が、時間スロットの開始と同時であるか、その時間スロットの間の任意の時点で起こることを意味している。
【００２６】
詳細復号ステータスレポートは、どのコードを復号成功したか（successfully  decoded）判断することが可能な任意のメッセージ、情報またはデータを含む。一実施例では、詳細復号ステータスレポートは、復号成功したコードのリストを含む。他の実施例では、詳細復号ステータスレポートは、リストにあるコードと関連する帯域幅アロケーション、及び／またはリストにあるコードと関連するレンジング応答（時間／周波数／パワー調整要素等を含む）の詳細を含む。コードが加入者局と関連づけられている変形例では、詳細復号ステータスレポートは、コードを復号成功した加入者局を特定してもよく、その加入者局を特定できる情報を含んでいてもよい。
【００２７】
ネットワーク局は、コードが所定のコードセット（例えば、レンジングコードセット）に属しているとき、そのコードを復号成功したと判断してもよい。コードセットはネットワーク局と加入者局の両方が知っていてもよい。
【００２８】
第１の態様の方法は、加入者局がコードを送信した時間スロットと関連し、そのコードを特定する詳細復号ステータスレポートを受信しないとき、復号失敗（unsuccessful  decoding）したと判断する段階を含んでいてもよい。例えば、加入者局がコードを送信した時間スロットに関連する詳細復号ステータスレポートを受信しないとき、または加入者局がコードを送信した時間スロットに関連する詳細復号ステータスレポートを受信したが、その詳細復号ステータスレポートがコードを特定していない場合は復号失敗したことを示すとき、復号失敗と判断する段階を含んでもよい。
【００２９】
加入者局は、復号成功と判断すると、例えば、ネットワークアクセス手順のその部分を継続し、ネットワークアクセス手順の後続段階に進んでもよいし、またはネットワークアクセス手順の後の手順に進んでもよい。
【００３０】
加入者局は、復号失敗と判断すると、バックオフアルゴリズムを実行してもよい。他の実施例では、加入者局は、ネットワークアクセス手順（のその部分）を放棄してもよいし、ネットワークアクセス手順のその部分を（例えば所定回数）繰り返してもよいし、代替的手順を実行してもよい。
【００３１】
より具体的には、レンジングの実施例において、加入者局は、自機のコードを復号成功したことを知ると、そのレンジングがイニシァルレンジング／ハンドオーバレンジング／周期的レンジングである場合、自機に宛てられたＲＮＧ−ＲＳＰを待ち、そのレンジングが帯域幅レンジングである場合、自機に宛てられた帯域幅を待ってもよい。
【００３２】
レンジングがイニシァルレンジング、ハンドオーバレンジング、または周期的レンジングであるとき、ネットワーク局は、レンジングコードを復号成功すると、加入者局にＲＮＧ−ＲＳＰを送信して、パワーオフセット／周波数オフセット／時間オフセット及びレンジングステータスを通知してもよい。加入者局は、ステータスが継続である場合、その情報に基づき、自機のパワー、周波数及び時間を調整し、上りリンクで他のレンジングコードを送信してもよい。「継続」のステータスは、ＢＳがレンジングコードを復号成功したが、上りリンクのＣＤＭＡレンジングコード送信に関連する（周波数／時間／パワーを含む）属性の一部または全部がＢＳの要求条件を完全には満たさなかった場合に関係する。そのため、ＢＳは、ＲＮＧ−ＲＳＰメッセージにおいて、周波数／時間／パワーの一部または全部について必要な調整をＭＳに通知する。ＭＳは、ＲＮＧ−ＲＳＰメッセージに基づき、ＣＤＭＡコード送信用の属性を調整して、ＣＤＭＡレンジングコードを再送信する。一方、ステータスが成功である場合、ネットワーク局は、加入者局がＲＮＧ−ＲＥＱメッセージを送信する上りリンク帯域幅をアロケートしてもよい。加入者局がＲＮＧ−ＲＳＰメッセージを受信成功した時、レンジングがイニシァルレンジングまたはハンドオーバレンジングである場合、次の段階はケーパビリティネゴシエーション手順（capability  negotiation  procedure）であってもよい。ケーパビリティネゴシエーション手順はネットワーク加入の下位手順（sub-procedure）である。レンジングが周期的レンジングの一例である場合は、加入者局は通常動作に戻ってもよい。レンジングが帯域幅レンジングである場合、ネットワーク局は、ＣＤＭＡアロケーションＩＥ（CDMA-allocation  IE）をブロードキャストして、加入者局に帯域幅をアロケートしてもよい。その後、加入者局は、その帯域幅を用いて必要な情報を送信できる。
【００３３】
レンジングの例を続けると、復号失敗と判断すると、加入者局は、所定の最大回数（例えばＲ回）レンジング手順を実行していないことを条件に、レンジング手順を繰り返す。Ｒ回の試みが失敗した後、イニシァルレンジングまたはハンドオーバレンジングがうまくいかないと、加入者局は他のネットワーク局をスキャンしてアクセスを試みる。これは、現在のネットワーク局にアクセスできないことを意味する。すなわち、加入者局は、現在のネットワーク局への試みを放棄する。周期的レンジングが失敗した場合、加入者局はＭＡＣを初期化して、ＭＡＣ情報をリフレッシュする。レンジングが帯域幅レンジングである場合、加入者局は、必要な帯域幅を得ることができない場合もある。
【００３４】
一実施例では、上記方法は、加入者局が、ネットワーク局がブロードキャストした任意の詳細復号ステータスレポートを受信する段階と、前記加入者局がコードを送信した時間スロットに関連する詳細復号ステータスレポートがあるか判断する段階と、なければ、復号失敗したと判断する段階と、あれば、前記詳細復号ステータスレポートにアクセスして、加入者局がネットワーク局に送信したコードを詳細復号ステータスレポートが特定しているか判断する段階とを含んでいてもよい。上記方法は、加入者局がネットワーク局に送信したコードを詳細復号ステータスレポートが特定していない場合、復号失敗（unsuccessful  decoding）したと判断し、特定している場合、復号成功（successful  decoding）したと判断する段階を含んでいてもよい。
【００３５】
上記方法は、前記加入者局がコードを送信した時間スロットに関連する仮復号ステータスインジケータがネガティブインジケータを含み、または仮復号ステータスインジケータがポジティブインジケータを含み、かつそのポジティブインジケータに関連する詳細復号ステータスレポートが前記加入者局が送信したコードを特定していないときに、復号失敗したと判断（identify）する段階とを含んでもよい。
【００３６】
仮復号ステータスレポートは、各仮復号ステータスインジケータがそれぞれの時間スロットで受信したコードの復号ステータスを表す１ビット（または２ビット以上）を含むビットマップを有していてもよい。一実施例では、１は関連する時間スロットで受信した少なくとも１つのコードが復号成功したことを示し、０は関連する時間スロットで受信したどのコードも復号成功しなかったことを示す。
【００３７】
この場合、上記方法は、ネットワーク局から加入者局にビットマップをブロードキャストして、加入者局において前記ビットマップを受信する段階と、コードを送信した各加入者局が、コードを送信した時間スロットに対応するビットが１か０か判断する段階と、前記ビットが０のとき、復号失敗であると判断し、前記ビットが１であるとき、そのビットに関連する詳細復号ステータスレポートにアクセスして、加入者局が送信したコードが特定されているかどうか決定する段階とを含んでもよい。
【００３８】
第１の態様の方法において、前記時間スロットは複数のグループの時間スロットよりなっていてもよく、前記方法はさらに、それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、前記ネットワーク局にコードを送信した各加入者局が、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断する段階とをさらに含んでもよい。
【００３９】
上記方法は、加入者局がコードを送信した時間スロットのグループに関連するグループ仮復号ステータスインジケータがネガティブグループインジケータを含むとき、またはグループ仮復号ステータスレポートはポジティブグループインジケータを含むが、そのポジティブグループインジケータに関連する仮復号ステータスレポートにおいて、加入者局がコードを送信した時間スロットと関連する仮復号ステータスインジケータがネガティブインジケータを含むとき、またはグループ仮復号ステータスインジケータがポジティブインジケータを含み、仮復号ステータスインジケータがポジティブインジケータを含むが、そのポジティブグループインジケータに関連する詳細復号ステータスレポートが加入者局が送信したコードを特定しない場合、復号失敗と判断する段階を有してもよい。
【００４０】
グループ仮復号ステータスレポートは、各グループ仮復号ステータスインジケータがそれぞれの時間スロットのグループで受信したコードの復号ステータスを表す１ビット（または２ビット以上）を含むビットマップを有していてもよい。一実施例では、１は関連する時間スロットのグループで受信した少なくとも１つのコードが復号成功したことを示し、０は関連する時間スロットのグループで受信したどのコードも復号成功しなかったことを示す。この場合、ビットマップ形式のグループ仮復号ステータスレポートの１である各ビットに仮復号ステータスレポートが関連付けられていてもよい。
【００４１】
この場合、上記方法は、ネットワーク局から加入者局にビットマップ形式のグループ仮復号ステータスレポートをブロードキャストして、加入者局において前記ビットマップを受信する段階と、コードを送信した各加入者局が、コードを送信した時間スロットのグループに対応するビットが１か０か判断する段階と、前記ビットが０のとき、復号失敗であると判断する段階と、前記ビットが１のとき、そのビットに関連する仮復号ステータスレポートにアクセスする段階とを含む。上記方法は、次に、各加入者局が、コードを送信した時間スロットに対応する仮復号ステータスレポート中のビットが１か０か判断する段階と、前記ビットが０のとき、復号失敗であると判断し、前記ビットが１であるとき、そのビットに関連する詳細復号ステータスレポートにアクセスして、加入者局が送信したコードが特定されているかどうか決定する段階とを含んでもよい。  
時間スロットのグループは、複数の所定の時間スロットのうち少なくとも１つを含み、別の時間スロットがあってもなくてもよい。複数の時間スロットが１つの時間スロットのグループを構成し、別の複数の時間スロットは他の時間スロットのグループを構成する。
【００４２】
仮復号ステータスレポート及び／またはグループ仮復号ステータスレポートは、詳細復号ステータスレポートと同じ送信（例えばサブフレーム）でブロードキャストしてもよいし、異なる送信（例えばその前の送信）でブロードキャストしてもよい。
【００４３】
上記方法は、ネットワーク局が、あるコードに関係するグループ仮復号ステータスレポート、仮復号ステータスレポート、及び詳細復号ステータスレポートのうち少なくとも１つを、そのコードを受信してから所定時間内にブロードキャストする段階を含んでいてもよい。一実施例では、前記所定時間の長さは加入者局がバックオフアルゴリズムを実行するのにかかる時間より短い。例えば、前記所定時間の長さは、バックオフアルゴリズムに関連するタイマー（例えば、１６ｅ標準のＴ３タイマー）の長さより短くてもよい。
【００４４】
第２の態様による方法は、少なくとも１つのネットワーク局と複数の加入者局とを有する無線通信システムで使用する前記ネットワーク局の動作方法であって、ネットワークアクセス手順の一部として各加入者局がそれぞれ送信したコードを受信して復号する段階であって、各加入者局が複数の所定の時間スロットからコードを送信する時間スロットを選択している段階と、それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、少なくとも１つの符号が復号成功した各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階とを含む。
【００４５】
第２の態様の方法において、前記時間スロットは複数のグループの時間スロットよりなっていてもよく、前記方法はさらに、それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階を含んでもよい。
【００４６】
第３の態様による方法は、少なくとも１つのネットワーク局と複数の加入者局とを有する無線通信システムで使用する前記加入者局の動作方法であって、ネットワークアクセス手順の一部として、複数の所定の時間スロットから時間スロットを選択し、選択した時間スロットで前記ネットワーク局に個別コードを送信する段階と、それぞれの時間スロットに関連する複数の仮復号ステータスインジケータを含む仮復号ステータスレポートを前記ネットワーク局から受信する段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、少なくとも１つの符号が復号成功した時間スロットに関連する詳細復号ステータスレポートを前記ネットワーク局から受信する段階であって、各詳細復号ステータスレポートはそれに関連する時間スロットで前記ネットワーク局が受信したコードのうち復号成功したコードを特定するものである段階と、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する段階とを含む。
【００４７】
上記方法は、前記加入者局がコードを送信した時間スロットに関連する仮復号ステータスインジケータがネガティブインジケータを含み、または仮復号ステータスインジケータがポジティブインジケータを含み、かつそのポジティブインジケータに関連する詳細復号ステータスレポートが前記加入者局が送信したコードを特定していないときに、復号失敗したと判断する段階とを含んでもよい。
【００４８】
第３の態様の方法において、前記時間スロットは複数のグループの時間スロットよりなっていてもよく、前記方法はさらに、それぞれの時間スロットのグループに関連する複数のグループ仮復号ステータスインジケータを含むグループ仮復号ステータスレポートを前記ネットワーク局から受信する段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功したと判断する段階とをさらに含んでもよい。
【００４９】
上記方法は、加入者局がコードを送信した時間スロットのグループに関連するグループ仮復号ステータスインジケータがネガティブグループインジケータを含むとき、またはグループ仮復号ステータスレポートはポジティブグループインジケータを含むが、そのポジティブグループインジケータに関連する仮復号ステータスレポートにおいて、加入者局がコードを送信した時間スロットと関連する仮復号ステータスインジケータがネガティブインジケータを含むとき、またはグループ仮復号ステータスインジケータがポジティブインジケータを含み、仮復号ステータスインジケータがポジティブインジケータを含むが、そのポジティブグループインジケータに関連する詳細復号ステータスレポートが加入者局が送信したコードを特定しない場合、復号失敗と判断する段階を有してもよい。
【００５０】
どの態様においても、少なくとも１つの詳細復号ステータスレポートは、復号に成功した各コードに関連する帯域幅アロケーション及び／またはレンジング応答を指示するデータをさらに含んでいてもよい。
【００５１】
第４の態様による無線通信システムは、少なくとも１つのネットワーク局と複数の加入者局とを有する無線通信システムであって、各加入者局は、ネットワークアクセス手順の一部として、複数の所定の時間スロットから時間スロットを選択し、選択した時間スロットで前記ネットワーク局に個別のコードを送信するように構成され、前記ネットワーク局は、前記コードを受信して復号するように構成され、前記ネットワーク局は、それぞれの時間スロットに関連する複数の仮復号ステータスインジケータを含む仮復号ステータスレポートを前記加入者局にブロードキャストするように構成され、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられ、前記ネットワーク局は、少なくとも１つの符号が復号できた各時間スロットに関連する詳細復号ステータスレポートを前記加入者局にブロードキャストするようにさらに構成され、各詳細復号ステータスレポートはそれに関連する時間スロットで前記ネットワーク局が受信したコードのうち復号成功したコードを特定するものであり、前記ネットワーク局にコードを送信した各加入者局は、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する。
【００５２】
各加入者局は、前記加入者局がコードを送信した時間スロットに関連する仮復号ステータスインジケータがネガティブインジケータを含み、または仮復号ステータスインジケータがポジティブインジケータを含み、かつそのポジティブインジケータに関連する詳細復号ステータスレポートが前記加入者局が送信したコードを特定していないときに、復号失敗と判断するように構成されていてもよい。
【００５３】
第４の態様の無線通信システムにおいて、前記時間スロットは複数のグループの時間スロットよりなっていてもよく、前記ネットワーク局は、それぞれの時間スロットのグループに関連する複数のグループ仮復号ステータスインジケータを含むグループ仮復号ステータスレポートを前記加入者局にブロードキャストするように構成され、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられ、前記ネットワーク局にコードを送信した各加入者局は、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断してもよい。
【００５４】
各加入者局は、加入者局がコードを送信した時間スロットのグループに関連するグループ仮復号ステータスインジケータがネガティブグループインジケータを含むとき、またはグループ仮復号ステータスレポートはポジティブグループインジケータを含むが、そのポジティブグループインジケータに関連する仮復号ステータスレポートにおいて、加入者局がコードを送信した時間スロットと関連する仮復号ステータスインジケータがネガティブインジケータを含むとき、またはグループ仮復号ステータスインジケータがポジティブインジケータを含み、仮復号ステータスインジケータがポジティブインジケータを含むが、そのポジティブグループインジケータに関連する詳細復号ステータスレポートが加入者局が送信したコードを特定しない場合、復号失敗と判断するように構成されてもよい。
【００５５】
第５の態様による装置は、少なくとも１つのネットワーク局と複数の加入者局とを有する無線通信システムで使用する前記ネットワーク局の装置であって、それぞれの時間スロットに関連する複数の仮復号ステータスインジケータを含む仮復号ステータスレポートを生成するように構成された仮復号ステータス回路であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータをそれぞれ詳細復号ステータスレポートに関連づけるように構成されている仮復号ステータス回路と、前記ネットワーク局の復号回路により復号成功した少なくとも１つのコードを特定するデータを取得するよう構成された詳細復号ステータス回路であって、前記コードはネットワークアクセス手順の一部として各加入者局が前記ネットワーク局に送信され、各加入者局は複数の所定の時間スロットからコードを送信する時間スロットを選択している詳細復号ステータス回路とを有し、前記詳細復号ステータス回路は、少なくとも１つの符号が復号成功した各時間スロットに関連する詳細復号ステータスレポートを生成し、各詳細復号ステータスレポートはそれに関連する時間スロットで前記ネットワーク局が受信したコードのうち復号できたコードを特定するものであり、前記詳細復号ステータスレポートは前記加入者局にブロードキャストされるものである。
【００５６】
前記装置は、加入者局からコードを受信するように構成された通信回路を有してもよい。該通信回路は、仮復号ステータスレポートと詳細復号ステータスレポートを加入者局にブロードキャストするように構成されていてもよい。
【００５７】
前記装置は、通信回路からコードを取得し、復号し、復号結果を復号ステータス回路に送るように構成された復号回路を有していてもよい。復号結果は、復号成功したコードのリストか、復号成功したコード自体を含んでいてもよい。復号ステータス回路は、復号回路から復号成功したコードのみを受け取ってもよいし、復号失敗したコードも受け取ってもよい。
【００５８】
仮復号ステータスレポートがビットマップを含む場合、仮復号ステータス回路は、仮復号ステータスレポートをビットマップ形式で生成するように構成されてもよく、通信回路は、ネットワーク局から加入者局にそのビットマップをブロードキャストするように構成されてもよい。
【００５９】
第５の態様の装置において、時間スロットは複数の時間スロットのグループよりなってもよく、復号ステータス回路は、それぞれの時間スロットのグループに関連する複数のグループ仮復号ステータスインジケータを含むグループ仮復号ステータスレポートを生成するように構成されたグループ仮復号ステータス回路であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータをそれぞれ仮復号ステータスレポートに関連づけるように構成されているグループ仮復号ステータス回路を有していてもよい。
【００６０】
該通信回路は、グループ仮復号ステータスレポートを加入者局にブロードキャストするように構成されていてもよい。
【００６１】
グループ仮復号ステータスレポートがビットマップを含む場合、通信回路は、そのグループ仮復号ステータスレポートをビットマップ形式でネットワーク局から加入者局にブロードキャストするように構成されていてもよい。
【００６２】
第６の態様による装置は、少なくとも１つのネットワーク局と複数の加入者局とを有する無線通信システムで使用する前記加入者局の装置であって、複数の所定の時間スロットから選択した時間スロットと、ネットワークアクセス手順の一部として前記選択した時間スロットに前記加入者局から前記ネットワーク局に送信された個別のコードとを特定する情報を取得するように構成されたネットワークアクセス回路を有し、前記ネットワークアクセス回路は、それぞれの時間スロットに関連する複数の仮復号ステータスインジケータを含む仮復号ステータスレポートを前記ネットワーク局から受信するよう構成され、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられ、前記ネットワークアクセス回路は、少なくとも１つの符号が復号成功した時間スロットに関連する詳細復号ステータスレポートを前記ネットワーク局から受信し、各詳細復号ステータスレポートはそれに関連する時間スロットで前記ネットワーク局が受信したコードのうち復号成功したコードを特定するものであり、前記ネットワークアクセス回路は、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功と判断するように構成されていてもよい。
【００６３】
ネットワークアクセス回路は、コード及び／または時間スロットを選択するように構成されてもよい。一実施例では、ネットワークアクセス回路は、複数の所定の時間スロットから時間スロットをランダムに選択し、複数の所定のコードからコードをランダムに選択するように構成される。
【００６４】
前記装置は、選択された時間スロットにおいて加入者局からネットワーク局にコードを送信し、及び／または仮復号ステータスレポートと詳細復号ステータスレポートを受信するように構成された通信回路を有してもよい。
【００６５】
ネットワークアクセス回路は、前記加入者局がコードを送信した時間スロットに関連する仮復号ステータスインジケータがネガティブインジケータを含み、または仮復号ステータスインジケータがポジティブインジケータを含み、かつそのポジティブインジケータに関連する詳細復号ステータスレポートが前記加入者局が送信したコードを特定していないときに、復号失敗と判断するように構成されていてもよい。
【００６６】
仮復号ステータスレポートがビットマップを含む場合、加入者局の通信回路は、ビットマップを受信するように構成されてもよい。ネットワークアクセス回路は、コードを送信した時間スロットに対応するビットが１か０か判断するように構成されてもよく、前記ビットが０のとき、復号失敗であると判断し、前記ビットが１であるとき、そのビットに関連する詳細復号ステータスレポートにアクセスして、加入者局が送信したコードが特定されているかどうか決定する段階とを含んでもよい。
【００６７】
第６の態様の装置において、前記時間スロットは複数のグループの時間スロットよりなっていてもよく、ネットワークアクセス回路は、それぞれの時間スロットのグループに関連する複数のグループ仮復号ステータスインジケータを含むグループ仮復号ステータスレポートを前記ネットワーク局から受信し、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられており、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功したと判断するように構成されていてもよい。
【００６８】
ネットワークアクセス回路は、加入者局がコードを送信した時間スロットのグループに関連するグループ仮復号ステータスインジケータがネガティブグループインジケータを含むとき、またはグループ仮復号ステータスレポートはポジティブグループインジケータを含むが、そのポジティブグループインジケータに関連する仮復号ステータスレポートにおいて、加入者局がコードを送信した時間スロットと関連する仮復号ステータスインジケータがネガティブインジケータを含むとき、またはグループ仮復号ステータスインジケータがポジティブインジケータを含み、仮復号ステータスインジケータがポジティブインジケータを含むが、そのポジティブグループインジケータに関連する詳細復号ステータスレポートが加入者局が送信したコードを特定しない場合、復号失敗と判断するように構成されてもよい。
【００６９】
通信回路は、グループ仮復号ステータスレポートを受信するように構成されていてもよい。
【００７０】
グループ仮復号ステータスレポートがビットマップを含む場合、加入者局の通信回路はそのビットマップを受信するように構成されてもよくネットワークアクセス回路は、コードを送信した時間スロットのグループに対応するビットが１か０か判断し、前記ビットが０のとき、復号失敗であると判断し、前記ビットが１のとき、そのビットに関連する仮復号ステータスレポートにアクセスするように構成されてもよい。ネットワークアクセス回路は、コードを送信した時間スロットに対応する、仮復号ステータスレポートのビットが１か０か判断し、前記ビットが０のとき、復号失敗であると判断し、前記ビットが１であるとき、そのビットに関連する詳細復号ステータスレポートにアクセスして、加入者局が送信したコードが特定されているかどうか決定してもよい。
【００７１】
第４乃至第６の態様のいずれかの無線通信システムまたは装置において、少なくとも１つの詳細復号ステータスレポートは、復号に成功した各コードに関連する帯域幅アロケーション及び／またはレンジング応答を指示するデータをさらに含んでいてもよい。
【００７２】
第７の態様によるコンピュータプログラムは、コンピュータで実行されると、該コンピュータに第１ないし第３の態様の方法を実行させる、または前記コンピュータを第４乃至第６の態様の装置として機能させるコンピュータプログラムであって、任意的にキャリア媒体に担われ、前記キャリア媒体は好ましくは記録媒体または送信媒体である。
【００７３】
回路にはプロセッサ、メモリ、バスラインが含まれ得る。上記の回路は回路要素を共有していてもよい。
【００７４】
本発明は、（特許請求の範囲を含めて）特段の言及の存否にかかわらず、単独の、または様々な組み合わせの１つまたは複数の態様、実施形態、または特徴を含む。
【００７５】
上記の概要は例示であり限定ではない。
【図面の簡単な説明】
【００７６】
例として、添付した図面を参照して説明する。
【図１】レンジングコード衝突によるレンジング失敗を示す図である。
【図２】帯域幅の不足によるレンジング失敗を示す図である。
【図３】２つの移動局が同じレンジングコードと同じレンジングスロットを選択したことによるレンジング失敗を示す図である。
【図４】レンジングコード復号ステータスの報告を示す図である。
【図５】レンジングステータスインジケータを含むレポートを示す図である。
【図６】ＲＮＧ−ＲＥＱ復号ステータスの高速レポートを示す図である。
【図７】仮復号ステータスレポート（レンジングステータスビットマップ）と２つの詳細復号ステータスレポート（レンジングステータス情報レポート）との間の関係を示す図である。
【図８】詳細復号ステータスレポートの例を示す図である。
【図９】グループ仮復号ステータスレポート（グループレンジングステータスビットマップ）と、２つの仮復号ステータスレポート（レンジングステータスビットマップ）と、３つの詳細復号ステータスレポート（レンジングステータス情報レポート）との間の関係を示す図である。
【図１０】無線通信システムの動作方法の一例を示すフローチャートである。
【図１１】無線通信システムの動作方法の他の一例を示すフローチャートである。
【図１２】無線通信システムを示すブロック図である。
【図１３】基地局の一例を示すブロック図である。
【図１４】基地局の他の一例を示すブロック図である。
【図１５】加入者局の一例を示すブロック図である。
【図１６】加入者局の他の一例を示すブロック図である。
【発明を実施するための形態】
【００７７】
本開示の実施形態による新しい方法により、レンジング手順のレイテンシを削減することができる。
【００７８】
図１２は無線通信システム１０を示す。無線通信システム１０は、この例では基地局１２であるネットワーク局と、（ラベル１４ａ−ｄで示す）加入者局１４とを含む。この例では、無線通信システム１０はＩＥＥＥ８０２．１６標準に基づくＷｉＭＡＸネットワークである。
【００７９】
図１３は基地局１２の一例を示すブロック図である。基地局１２は、詳細復号ステータスレポートを生成（prepare）するように構成された復号ステータス回路１２−２を含む。この復号ステータス回路１２−２の目的は以下で説明する。
【００８０】
図１５は、加入者局１４の一例を示すブロック図である。加入者局１４はネットワークアクセス回路１４−２を含む。
【００８１】
使用時、加入者局１４はネットワークアクセス手順を実行して、基地局１２が制御するネットワークリソースへのアクセスを試みる。この例では、ネットワークアクセス手順の一部がレンジング手順（ranging  procedure）である。
【００８２】
ここで無線通信システム１０の動作方法例を説明する。特に断らなければ、ある例の特徴はその前に説明する例の等価な特徴と同じである。
【００８３】
図１０は、無線通信システム１０の動作方法の一例を示すフローチャートである。        
ステップＳ１−１において、加入者局１４は、選択したレンジングスロットにおいて、基地局１２にレンジングコードを送信する。この例では、コードはレンジングコードであり、時間スロットはレンジングスロットである。
【００８４】
ステップＳ１−２において、基地局１２は、加入者局１４から受信したレンジングコードに復号プロセスを行う。基地局１２は、同じレンジングスロットまたは異なるレンジングスロットで他の加入者局１４から受信したレンジングコードにも復号プロセスを行ってもよい。
【００８５】
ステップＳ１−３において、基地局１２は、加入者局１４に仮復号ステータスレポート（preliminary  decoding  status  report）を送信する。仮復号ステータスレポートは、それぞれのレンジングスロットに付随する仮復号ステータスインジケータを含み、復号ステータス回路１２−２で生成される。各仮復号ステータスインジケータは、それぞれのレンジングスロットで受信したレンジングコードの１つ、いくつか、またはすべてを復号成功しないことを示すポジティブインジケータか、それぞれのレンジングスロットで受信したレンジングコードをどれも復号成功しなかったことを示すネガティブインジケータか、いずれかである。この例では、仮復号ステータスレポートは、図７に示したレンジングステータスビットマップを含む。このレンジングステータスビットマップでは、各仮復号ステータスインジケータはビットである。この例では、１はポジティブインジケータであり、０はネガティブインジケータである。復号ステータス回路１２−２は、図７に矢印で示したように、各ポジティブインジケータ（すなわち１）を、詳細復号ステータスレポート（すなわちレンジングステータス情報レポート）と関連づける。
【００８６】
ステップＳ１−４において、基地局１２は、加入者局１４に詳細復号ステータスレポート（detailed  decoding  status  report）を送信する。基地局１２は、仮復号ステータスレポートの各１に関連づけられた詳細復号ステータスレポートを送信する。各詳細復号ステータスレポートは、それが関連するレンジングスロットで基地局１２が受信したレンジングコードのうち復号成功した各レンジングコードを特定する。詳細復号ステータスレポートの例を図８に示し、同図を参照して以下に説明する。
【００８７】
ステップＳ１−５において、レンジングコードを送信した各加入者局１４のネットワークアクセス回路１４−２は、仮復号ステータスレポートをチェックして、レンジングコードを送信したレンジングスロットに対応するビットが１か０か判断する。ビットが０であれば、ネットワークアクセス回路１４−２は、復号失敗と判断（identifies  unsuccessful  decoding）することができる。ビットが１であれば、ネットワークアクセス回路１４−２は、ステップＳ２−６に進む。
【００８８】
ステップＳ１−６において、ネットワークアクセス回路１４−２は、１と関連づけられた詳細復号ステータスレポートをチェックして、その加入者局１４が送信したレンジングコードが識別されたかどうか判断する。識別されていなければ、ネットワークアクセス回路１４−２は、復号失敗と判断することができる。識別されていれば、ネットワークアクセス回路１４−２は、復号成功と判断し、先に進む。
【００８９】
図１１は、無線通信システム１０の動作方法の他の一例を示すフローチャートである。図１１の方法は、主に、基地局１２と加入者局１４がグループ仮復号ステータスレポート（group  preliminary  decoding  status  report）を用いる点で、図１０の方法と相違する。
【００９０】
この例では、複数の上りフレームがあり、それぞれ複数のレンジングスロットを有し、レンジングスロットは複数のグループに分かれている。
【００９１】
ステップＳ２−１において、加入者局１４は、選択したレンジングスロットにおいて、基地局１２にレンジングコードを送信する。
【００９２】
ステップＳ２−２において、基地局１２は、加入者局１４から受信したレンジングコードに復号プロセスを行う。
【００９３】
ステップＳ２−３において、基地局１２は、加入者局１４にグループ仮復号ステータスレポート（group  preliminary  decoding  status  report）を送信する。グループ仮復号ステータスレポートは、レンジングスロットのそれぞれのグループに付随するグループ仮復号ステータスインジケータを含み、復号ステータス回路１２−２で生成される。各グループ仮復号ステータスインジケータは、それぞれのレンジングスロットのグループで受信したレンジングコードの１つ、いくつか、またはすべてを復号成功したことを示すポジティブグループインジケータ（positive  group  indicator）か、それぞれのレンジングスロットのグループで受信したレンジングコードをどれも復号成功しなかったことを示すネガティブインジケータか、いずれかである。この例では、グループ仮復号ステータスレポートは、図９に示したグループレンジングステータスビットマップを含む。このグループレンジングステータスビットマップでは、各グループ仮復号ステータスインジケータはビットである。この例では、１はポジティブグループインジケータであり、０はネガティブグループインジケータである。復号ステータス回路１２−２は、図９の上側レイヤに矢印で示したように、各ポジティブグループインジケータ（すなわち１）を、仮復号ステータスレポートと関連づける。
【００９４】
ステップＳ２−４において、基地局１２は、加入者局１４に仮復号ステータスレポート（preliminary  decoding  status  report）を送信する。この例では、各仮復号ステータスレポートは、図９に示したレンジングステータスビットマップを含む。このレンジングステータスビットマップでは、各仮復号ステータスインジケータはビットである。この例では、１はポジティブインジケータであり、０はネガティブインジケータである。復号ステータス回路１２−２は、図９の下側レイヤに矢印で示したように、各ポジティブインジケータ（すなわち１）を、詳細復号ステータスレポート（すなわちレンジングステータス情報レポート）と関連づける。
【００９５】
ステップＳ２−５において、基地局１２は、加入者局１４に詳細復号ステータスレポート（detailed  decoding  status  report）を送信する。基地局１２は、仮復号ステータスレポートの各１に関連づけられた詳細復号ステータスレポートを送信する。
【００９６】
ステップＳ２−６において、レンジングコードを送信した各加入者局１４のネットワークアクセス回路１４−２は、グループ仮復号ステータスレポートをチェックして、レンジングコードを送信したレンジングスロットのグループ（すなわち、上りリンクサブフレーム）に対応するビットが１か０か判断する。ビットが０であれば、ネットワークアクセス回路１４−２は、復号失敗と判断することができる。ビットが１であれば、ネットワークアクセス回路１４−２は、ステップＳ２−７に進む。
【００９７】
ステップＳ２−７において、レンジングコードを送信した各加入者局１４のネットワークアクセス回路１４−２は、レンジングスロットのグループに対応するグループ仮復号ステータスレポートの１に関連する仮復号ステータスレポートをチェックする。これは、レンジングコードを送信したレンジングスロットに対応するビットが１か０か決定するためである。ビットが０であれば、ネットワークアクセス回路１４−２は、復号失敗と判断することができる。ビットが１であれば、ネットワークアクセス回路１４−２は、ステップＳ２−８に進む。
【００９８】
ステップＳ２−８において、ネットワークアクセス回路１４−２は、関連する仮復号ステータスレポートの１と関連づけられた詳細復号ステータスレポートをチェックして、その加入者局１４が送信したレンジングコードが特定されたかどうか判断する。特定されていなければ、ネットワークアクセス回路１４−２は、復号失敗と判断することができる。特定されていれば、ネットワークアクセス回路１４−２は、復号成功と判断（identifies  successful  decoding）し、先に進む。
【００９９】
上記の例では、仮復号ステータスレポート及び／またはグループ仮復号ステータスレポートを、詳細復号ステータスレポートと同じ下りリンクサブフレームで送信する。しかし、他の例では、仮復号ステータスレポート及び／またはグループ仮復号ステータスレポートを、１つ以上前の下りリンクサブフレームで送信してもよい。
【０１００】
図８は詳細復号ステータスレポートの例を示す図である。
【０１０１】
図８Ａは、復号成功したすべてのレンジングコード（ＣＤＭＡコード／識別子）をリストした、基本的な詳細復号ステータスレポートを示す図である。
【０１０２】
図８Ｂは、レンジングコード（ＣＤＭＡコード）が帯域幅（ＢＷ）要求である場合に有用な詳細復号ステータスレポートを示す図である。基地局１２は、復号ステータスを報告するだけでなく、帯域幅をアロケートできる。帯域幅のアロケーションは詳細復号ステータスレポートで同時に行ってもよい。この例では、レポートに示されているように、ＣＤＭＡコード２を送信した加入者局１４に帯域幅がアロケートされている。加入者局が用いるレンジングスロットは（仮復号ステータスレポートすなわちレンジングステータスビットマップと、レンジングスロットとの間のマッピングにより）各詳細復号ステータスレポートで分かるので、具体的なＣＤＭＡレンジングコードに対して帯域幅アロケーションを発行すればよく、そのアロケーションがあるレンジングスロットに対するものであること（フレーム番号インデックス、レンジングシンボル、レンジングサブチャネル等を指定することも含む）を示す必要もないこれにより、１６ｄ／ｅ／ｊ標準に受け入れられたＣＤＭＡアロケーション方式のオーバーヘッドを削減できる。
【０１０３】
図８Ｃは、レンジングコード（ＣＤＭＡコード）がイニシァルレンジングである場合に有用な詳細復号ステータスレポートを示す図である。詳細復号ステータスレポートにレンジング応答を含めることもできる。同様に、具体的なＣＤＭＡレンジングコードに対してレンジング応答を発行すればよい。１６ｄ／ｅ／ｊシステムのように、レンジング応答により時間／周波数／パワー調整要素を送ることもできる。
【０１０４】
図８Ｄは、詳細復号ステータスレポートの一例を示す。このレポートにはレンジング応答（ranging  response）とレンジング用帯域幅アロケーションとが含まれている。この帯域幅アロケーションは、加入者局１４がレンジング要求を送信する上りリンク帯域幅を基地局１２がアロケート（allocate）する場合に有用である。
【０１０５】
図１３は基地局１２の一例を示すブロック図である。基地局は復号ステータス回路１２−２を含み、復号ステータス回路１２−２は仮復号ステータス回路１２−２−２をさらに含む。
【０１０６】
仮復号ステータス回路１２−２−２は、仮復号ステータスレポートを生成し、各ポジティブインジケータに、復号ステータス回路１２−２が生成した詳細復号ステータスレポートを関連づけるように構成されている。
【０１０７】
図１４は、基地局１２の他の例を示す。この例では、復号ステータス回路１２−２は、グループ仮復号ステータス回路１２−２−４をさらに有する。また、この例では、基地局１２は、復号回路１２−４と、通信回路１２−６とをさらに有する。
【０１０８】
グループ仮復号ステータス回路１２−２−４は、グループ仮復号ステータスレポートを生成し、各ポジティブグループインジケータに、仮復号ステータス回路１２−２−２が生成した仮復号ステータスレポートを関連づけるように構成されている。
【０１０９】
復号回路１２−４は、通信回路１２−６からレンジングコードを取得し、復号し、復号結果を復号ステータス回路１２−２に送る。
【０１１０】
通信回路１２−６は、加入者局１４からレンジングコードを受信し、グループ仮復号ステータスレポートと仮復号ステータスレポートと詳細復号ステータスレポートとを加入者局１４にブロードキャストするように構成されている。
【０１１１】
図１６は、加入者局１４の他の一例を示すブロック図である。加入者局１４は、上記同様、ネットワークアクセス回路１４−２を含み、通信回路１４−４をさらに含む。
【０１１２】
ネットワークアクセス回路１４−２は、複数の所定のコードからレンジングコードをランダムに選択し、複数の所定のレンジングスロットからレンジングスロットをランダムに選択するように構成されている。
【０１１３】
通信回路１４−４は、選択したレンジングスロットにおいて、加入者局１４から基地局１２にレンジングコードを送信し、グループ仮復号ステータスレポートと仮復号ステータスレポートと詳細復号ステータスレポートとを基地局１２から受信するように構成されている。
【０１１４】
レンジングコードのレンジングステータスビットマップ（ＲＳＢ）／メッセージにおいて、１はあるコード／メッセージが復号成功したことを示し、０は何も復号できなかったことを示す。ＭＳは、自機に対応するスロットが１であることを検知すると、他の新しく規定されたメッセージ（ＲＳＩ：レンジングステータス情報）を復号して、詳細情報を求め、自機が送信したコード／メッセージが復号されたかどうかを判断しなければならない。ＲＳＩには、復号されたコード／メッセージのステータスが、１のビットに対応してリストされている。図７はＲＳＢ／メッセージとＲＳＩとの間の関係を示す図である。
【０１１５】
ＲＳＩには復号されたすべてのＣＤＭＡコード／識別子がリストされている。また、ＣＤＭＡコードが帯域幅（ＢＷ）要求のものであり、ＢＳが帯域幅をアロケートできる場合、ＲＳＩメッセージで同時に帯域幅アロケーションを行ってもよい。ＭＳが用いるレンジングスロットは（ＲＳＢとレンジングスロットとのマッピングにより）すでに分かっているので、各ＲＳＩにおいて、具体的なレンジングコードに対して帯域幅アロケーションを発行すればよく、そのアロケーションが具体的なレンジングスロットのためであること（フレーム番号インデックス、レンジングシンボル、レンジングサブチャネル）を示す必要はない。これにより、１６ｄ／ｅ／ｊで受け入れられているＣＤＭＡアロケーション方式のオーバーヘッドを削減できる。ＣＤＭＡがイニシァルレンジングのものであるとき、ＲＳＩにレンジング応答を含めてもよい。同様に、具体的なＣＤＭＡレンジングコードに対してレンジング応答を発行すればよい。１６ｄ／ｅ／ｊシステムのように、レンジング応答により時間／周波数／パワー調整要素を送る必要がある。さらに、ＭＳがレンジング要求を送信する上りリンク帯域幅をＢＳがアロケートする場合、帯域幅アロケーションを含んでいてもよい。図８にはＲＳＩの内容を示す。
【０１１６】
すべてのＭＳにＲＳＩをブロードキャストできる。ＭＳはＲＳＩのロケーションを知っている。好ましくは、ＲＳＢ／メッセージの後、ＲＳＢ／メッセージと同じ下りリンクサブフレーム／フレームの一定のロケーション、またはＭＳが求めることができる可変のロケーションである。
【０１１７】
ＲＳＢ／メッセージのオーバーヘッドを削減するため、すべてのタイムスロットをグループにパーティション（partition）する。各グループは時間スロットサブセットに対応する。時間スロットの数は、例えば近傍のＯＦＤＭＡシンボルまたは近傍のサブチャネルにおいて共通の特徴を有している。このように、ＭＳは自機が占有する時間スロットがどのグループに属するか知っている必要がある。タイムスロットのグループ化の規則は、下りリンクブロードキャストメッセージでＭＳに通知される。そして、新しいＭＳは、イニシァルレンジングを実行するとき、イニシァルレンジングコードを送信した後、最初にＧＲＳＢ／メッセージ（グループレンジングステータスビットマップ／メッセージ）をチェックする。ＭＳは、自機に対応するビットが０に設定されているとき、バックオフアルゴリズムを実行する。自機に対応するビットが１に設定されているとき、ＲＳＢ／メッセージをチェックして、そのステータスを調べる。
【０１１８】
本開示は、信頼性高くレンジングレイテンシ（ranging  latency）を削減する修正レンジング手順を提案する。復号成功したコードがあるかどうか示すために、レンジングステータスビットマップ／メッセージを用いることができる。ＭＳは、レンジングステータス情報メッセージ（ＲＳＩ）を導入することにより、レンジングステータスを早く信頼性高く確認できる。レンジング応答と帯域幅アロケーションもＲＳＩに含めることができるが、レガシーシステムと比較してオーバーヘッドは低い。さらに、ＲＳＩのオーバーヘッドを低減するために、グループレンジングステータスビットマップを用いることができる。
【０１１９】
重要な利点は以下の通りである：
・レンジング手順のレイテンシを信頼性高く低減する。
・レンジングステータスビットマップ／メッセージのオーバーヘッドを低減する。
・ＣＤＭＡ帯域幅アロケーションのオーバーヘッドを低減する。
・レンジング応答のオーバーヘッドを低減する。
【０１２０】
レンジングレイテンシを低減するために、レンジングステータスビットマップ／メッセージを用いて、対応するレンジングスロットに復号成功したコードがあるかどうか示すことができる。しかし、一部の特殊な場合には、移動局はレンジングステータスを得られない。移動局は、レンジングステータス情報メッセージ（ＲＳＩ）を導入することにより、レンジングステータスを信頼性高く得ることができる。さらに、レンジング応答と帯域幅アロケーションもＲＳＩに含めることができるが、レガシーシステムと比較してオーバーヘッドは低い。オーバーヘッドＲＳＩを低減するため、グループレンジングステータスビットマップも導入する。
【０１２１】
レンジングレイテンシを低減することにより、ＭＳをパワーアップしてからネットワークに登録するまでが速くなり、イニシァルレンジングと同様の手順をハンドオーバレンジングに入れれば、ハンドオーバも速くなる。
【０１２２】
言うまでもなく、上記の回路は説明した機能に加えて他の機能を有してもよく、これらの機能は同じ回路で実行できてもよい。
【０１２３】
上記のどの態様においても、様々な特徴（features）をハードウェアで実現しても、プロセッサ上で動作するソフトウェアモジュールとして実現してもよい。一態様の特徴を他の態様の特徴に適用することもできる。
【０１２４】
本発明は、ここに説明した方法を実行するコンピュータプログラムまたはコンピュータプログラム製品も含み、ここに説明した方法を実行するプログラムを格納したコンピュータ読み取り可能媒体も含む。本発明を化体したコンピュータプログラムは、コンピュータ読み取り可能媒体に格納してもよいし、例えば、インターネットのウェブサイトから供給されるダウンロード可能なデータ信号等の信号の形式であっても、その他のどんな形式であってもよい。
【０１２５】
出願人は、特許請求の範囲を限定することなく、ここに開示した問題を解決できるかどうかにかかわらず、当業者の通常の知識を考慮して本明細書全体に基づき実施できる程度に、ここで説明した個別の特徴及びかかる特徴の組み合わせをここに開示した。本発明の態様はかかる個別の特徴またはその組み合わせよりなる。以上の説明を考慮して、本発明の範囲内で様々な修正ができることは当業者には明らかであろう。
【０１２６】
上記実施形態に関し以下の付記を記載する。
（付記１）  少なくとも１つのネットワーク局と複数の加入者局とを有する無線通信システムの動作方法であって、
ネットワークアクセス手順の一部として、各加入者局が複数の所定の時間スロットから時間スロットを選択し、選択した時間スロットで前記ネットワーク局に個別のコードを送信する段階と、
前記ネットワーク局が、
前記コードを受信して復号する段階と、
それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号成功した各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階と、
前記ネットワーク局にコードを送信した各加入者局が、それがコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する段階とを含む方法。
（付記２）  前記時間スロットは複数のグループの時間スロットよりなり、
前記方法は、
それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、
前記ネットワーク局にコードを送信した各加入者局が、前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功したと判断する段階とをさらに含む、
付記１に記載の方法。
（付記３）  少なくとも１つのネットワーク局と複数の加入者局とを有する無線通信システムで使用する前記ネットワーク局の動作方法であって、
ネットワークアクセス手順の一部として各加入者局がそれぞれ送信したコードを受信して復号する段階であって、各加入者局が複数の所定の時間スロットからコードを送信する時間スロットを選択している段階と、
それぞれの時間スロットに関連する複数の仮復号ステータスインジケータを含む仮復号ステータスレポートを前記加入者局にブロードキャストする段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号できた各時間スロットに関連する詳細復号ステータスレポートを前記加入者局にブロードキャストする段階であって、各詳細復号ステータスレポートはそれに関連する時間スロットで前記ネットワーク局が受信したコードのうち復号成功したコードを特定するものである段階とを含む方法。
（付記４）  前記時間スロットは複数のグループの時間スロットよりなり、
前記方法はさらに、それぞれの時間スロットのグループに関連する複数のグループ仮復号ステータスインジケータを含むグループ仮復号ステータスレポートを前記加入者局にブロードキャストする段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階を含む、付記３に記載の方法。
（付記５）  少なくとも１つのネットワーク局と複数の加入者局とを有する無線通信システムで使用する前記加入者局の動作方法であって、
ネットワークアクセス手順の一部として、複数の所定の時間スロットから時間スロットを選択し、選択した時間スロットで前記ネットワーク局に個別コードを送信する段階と、
それぞれの時間スロットに関連する複数の仮復号ステータスインジケータを含む仮復号ステータスレポートを前記ネットワーク局から受信する段階であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられている段階と、
少なくとも１つの符号が復号成功した時間スロットに関連する詳細復号ステータスレポートを前記ネットワーク局から受信する段階であって、各詳細復号ステータスレポートはそれに関連する時間スロットで前記ネットワーク局が受信したコードのうち復号成功したコードを特定するものである段階と、
前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功したと判断する段階とを含む方法。
（付記６）  前記時間スロットは複数のグループの時間スロットよりなり、
前記方法は、
それぞれの時間スロットのグループに関連する複数のグループ仮復号ステータスインジケータを含むグループ仮復号ステータスレポートを前記ネットワーク局から受信する段階であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられている段階と、
前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断する段階とをさらに含む、
付記５に記載の方法。
（付記７）  少なくとも１つのネットワーク局と複数の加入者局とを有する無線通信システムで使用する前記ネットワーク局の装置であって、
それぞれの時間スロットに関連する複数の仮復号ステータスインジケータを含む仮復号ステータスレポートを生成するように構成された仮復号ステータス回路であって、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータをそれぞれ詳細復号ステータスレポートに関連づけるように構成されている仮復号ステータス回路と、
前記ネットワーク局の復号回路により復号成功した少なくとも１つのコードを特定するデータを取得するよう構成された詳細復号ステータス回路であって、前記コードはネットワークアクセス手順の一部として各加入者局が前記ネットワーク局に送信され、各加入者局は複数の所定の時間スロットからコードを送信する時間スロットを選択している詳細復号ステータス回路とを有し、
前記詳細復号ステータス回路は、少なくとも１つの符号が復号成功した各時間スロットに関連する詳細復号ステータスレポートを生成し、各詳細復号ステータスレポートはそれに関連する時間スロットで前記ネットワーク局が受信したコードのうち復号成功したコードを特定するものであり、前記詳細復号ステータスレポートは前記加入者局にブロードキャストされるものである装置。
（付記８）  前記時間スロットは複数のグループの時間スロットよりなり、
前記復号ステータス回路は、それぞれの時間スロットのグループに関連する複数のグループ仮復号ステータスインジケータを含むグループ仮復号ステータスレポートを生成するように構成されたグループ仮復号ステータス回路であって、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータをそれぞれ仮復号ステータスレポートに関連づけるように構成されているグループ仮復号ステータス回路を有する、
付記７に記載の装置。
（付記９）  少なくとも１つのネットワーク局と複数の加入者局とを有する無線通信システムで使用する前記加入者局の装置であって、
複数の所定の時間スロットから選択した時間スロットと、ネットワークアクセス手順の一部として前記選択した時間スロットに前記加入者局から前記ネットワーク局に送信された個別のコードとを特定する情報を取得するように構成されたネットワークアクセス回路を有し、
前記ネットワークアクセス回路は、それぞれの時間スロットに関連する複数の仮復号ステータスインジケータを含む仮復号ステータスレポートを前記ネットワーク局から受信するよう構成され、各仮復号ステータスインジケータは前記それぞれの時間スロットに受信した前記符号のうち少なくとも１つが復号成功したことを示すポジティブインジケータか、または前記それぞれの時間スロットに受信した前記符号はどれも復号成功しなかったことを示すネガティブインジケータかいずれかを含み、各ポジティブインジケータはそれぞれ詳細復号ステータスレポートに関連づけられ、
前記ネットワークアクセス回路は、少なくとも１つの符号が復号成功した時間スロットに関連する詳細復号ステータスレポートを前記ネットワーク局から受信し、各詳細復号ステータスレポートはそれに関連する時間スロットで前記ネットワーク局が受信したコードのうち復号成功したコードを特定するものであり、
前記ネットワークアクセス回路は、前記加入者局がコードを送信した時間スロットに関連する仮復号ステータスレポートがポジティブインジケータを含み、そのポジティブインジケータに関連する詳細復号ステータスレポートが前記加入者局が送信したコードを特定しているときに、復号成功と判断するように構成された装置。
（付記１０）  前記時間スロットは複数のグループの時間スロットよりなり、
前記ネットワークアクセス回路は、
それぞれの時間スロットのグループに関連する複数のグループ仮復号ステータスインジケータを含むグループ仮復号ステータスレポートを前記ネットワーク局から受信し、各グループ仮復号ステータスインジケータは前記それぞれの時間スロットのグループに受信した前記符号のうち少なくとも１つが復号成功したことを示すポジティブグループインジケータか、または前記それぞれの時間スロットのグループに受信した前記符号はどれも復号成功しなかったことを示すネガティブグループインジケータかいずれかを含み、各ポジティブグループインジケータはそれぞれ仮復号ステータスレポートに関連づけられており、
前記グループ仮復号ステータスレポートにおいて、前記加入者局がコードを送信した時間スロットのグループに関連するグループ仮復号ステータスインジケータがポジティブグループインジケータを含み、前記ポジティブグループインジケータに関連する仮復号ステータスレポートにおいて、前記加入者局がコードを送信した時間スロットに関連する仮復号ステータスインジケータがポジティブインジケータを含み、そのポジティブインジケータに関連する詳細復号ステータスレポートが前記加入者局が送信したコードを特定するときに復号成功と判断するように構成された、
付記９に記載の装置。
（付記１１）  コンピュータで実行されると、該コンピュータに付記１ないし６いずれか一項に記載の方法を実行させる、または前記コンピュータを付記７ないし１０いずれか一項に記載の装置として機能させるコンピュータプログラムであって、任意的にキャリア媒体に担われ、前記キャリア媒体は好ましくは記録媒体または送信媒体であるコンピュータプログラム。
【図１】
2010050972.tif 000003
【図２】
2010050972.tif 000004
【図３】
2010050972.tif 000005
【図４】
2010050972.tif 000006
【図５】
2010050972.tif 000007
【図６】
2010050972.tif 000008
【図７】
2010050972.tif 000009
【図８】
2010050972.tif 000010
【図９】
2010050972.tif 000011
【図１０】
2010050972.tif 000012
【図１１】
2010050972.tif 000013
【図１２】
2010050972.tif 000014
【図１３】
2010050972.tif 000015
【図１４】
2010050972.tif 000016
【図１５】
2010050972.tif 000017
【図１６】
2010050972.tif 000018